(57)【要約】【課題】引き上げ時に滑り難いうえ把持し易く、安定した引き上げ動作を行うこと。【解決手段】ボトル軸Ｏを中心として有底筒状に形成されたボトルであって、口部２の下端部には、ネックリング７が形成され、口部と肩部４とを連結する連結部分３には、周方向に延在する滑り止め用の凸リブ１０が形成されているボトル１を提供する。【選択図】図１
2011111220.tif 000002
【特許請求の範囲】
【請求項１】
ボトル軸を中心として有底筒状に形成されたボトルであって、
口部の下端部には、ネックリングが形成され、
前記口部と肩部とを連結する連結部分には、周方向に延在する滑り止め用の凸リブが形成されていることを特徴とするボトル。
【請求項２】
請求項１に記載のボトルにおいて、
前記凸リブは、前記連結部分の全周に亘って延在していることを特徴とするボトル。
【請求項３】
請求項１又は２に記載のボトルにおいて、
前記凸リブは、前記ボトル軸に沿って間隔を開けて複数形成されていることを特徴とするボトル。
【請求項４】
請求項１から３のいずれか１項に記載のボトルにおいて、
前記連結部分は、前記肩部に繋がり、該肩部から前記口部に向かうに伴って漸次縮径する断面テーパー状に形成されているテーパー部と、該テーパー部と口部との間に前記ボトル軸と同軸に形成されるストレート部と、を有していることを特徴とするボトル。
【発明の詳細な説明】
【技術分野】
【０００１】
本発明は、ボトルに関するものである。
【背景技術】
【０００２】
ペットボトルに代表されるような合成樹脂製のボトルは、軽量で取り扱いが容易であること、透明性を確保しつつガラス製の容器に比較して遜色のない外観を呈すること等から、主に飲料用の容器として多用されている。
この種のボトルは、様々なものが提供されているが、その１つとして持ち易さの向上を図るために胴部がくびれたものが知られている。
【先行技術文献】
【特許文献】
【０００３】
【特許文献１】実開平０２−４８５１０号公報
【発明の概要】
【発明が解決しようとする課題】
【０００４】
ところで、上記従来の胴部がくびれたボトルは、例えば、机上や陳列棚（上段や中段）等に置かれている状況下では、胴部を容易に把持できるので持ち易いものである。
しかしながら、流通段階でダンボールやケース内に複数本並べられた状態で置かれていたり、陳列棚の下段や床下収納内に置かれていたりする状況下等では、胴部を直接把持することが困難であり、依然として持ち難いものであった。この場合には、口部周辺を把持、具体的にはネックリングを指先或いは指腹で把持しながら、ボトルを引き上げるように持ち上げる方法が一般的であるが、持ち難く手の中で滑る可能性があった。
この種のボトルは、内容量が多い（例えば、２．７リットル超）大型のものも提供されているが、特にこの場合には重量があるので手の中で滑る可能性が高かった。
【０００５】
本発明は、このような事情に鑑みてなされたものであって、その目的は、引き上げ時に滑り難いうえ把持し易く、安定した引き上げ動作を行うことができるボトルを提供することである。
【課題を解決するための手段】
【０００６】
上記の目的を達成するために、この発明は以下の手段を提供している。
（１）本発明に係るボトルは、ボトル軸を中心として有底筒状に形成されたボトルであって、口部の下端部には、ネックリングが形成され、前記口部と肩部とを連結する連結部分には、周方向に延在する滑り止め用の凸リブが形成されていることを特徴とする。
【０００７】
本発明に係るボトルにおいては、ボトルの引き上げを行う際に、指先或いは指腹を凸リブに引っ掛けながら主にネックリングを把持することができる。特に、指先或いは指腹が凸リブに接触して引っ掛かるので、把持し易いうえボトルが手の中で滑り難く、安定した引き上げ動作を行うことができる。
また、凸リブは周方向に延在しているので、引き上げを行う指先或いは指腹が特に引っ掛かり易く、ボトルに効率良く力を伝えることができる。従って、ボトルを容易に引き上げ易い。
【０００８】
（２）本発明に係るボトルは、上記本発明のボトルにおいて、前記凸リブが、前記連結部分の全周に亘って延在していることを特徴とする。
【０００９】
本発明に係るボトルにおいては、凸リブの位置を気にすることなく引き上げを行うことができるので、使い易い。
【００１０】
（３）本発明に係るボトルは、上記本発明のボトルにおいて、前記凸リブが、前記ボトル軸に沿って間隔を開けて複数形成されていることを特徴とする。
【００１１】
本発明に係るボトルにおいては、凸リブがボトル軸に沿って間隔を開けて複数形成されているので、多段状に並んでいる。よって、ネックリングを主に把持した際に、指先や指腹が凸リブに対してより広範囲に接触して引っ掛かり易い。従って、さらに把持し易くなるうえ、ボトルが手の中で滑り難くなる。
【００１２】
（４）本発明に係るボトルは、上記本発明のボトルにおいて、前記連結部分が、前記肩部に繋がり、該肩部から前記口部に向かうに伴って漸次縮径する断面テーパー状に形成されているテーパー部と、該テーパー部と口部との間に前記ボトル軸と同軸に形成されるストレート部と、を有していることを特徴とする。
【００１３】
本発明に係るボトルにおいては、凸リブが形成されている連結部分に断面テーパー状のテーパー部が形成されているので、ネックリングを主に把持した際に、指先や指腹がフィットし易く、把持し易い。よって、手首にかかる負担を軽減しながら引き上げ動作を行うことができる。また、連結部分の断面テーパー状のテーパー部が肩部に繋がるので、肩部の傾斜に合わせ易く、この連結部分を目立ち難くすることができる。従って、外観の視認性を良くすることができ、デザイン的に優れたボトルに設計し易い。
【発明の効果】
【００１４】
本発明に係るボトルによれば、引き上げ時に滑り難いうえ把持し易く、安定した引き上げ動作を行うことができる。
【図面の簡単な説明】
【００１５】
【図１】本発明に係る実施形態を示すボトルの正面図である。
【図２】図１に示すボトルを矢印Ａ方向から見た側面図である。
【図３】図１に示すボトルの背面図である。
【図４】図１に示すボトルの上面図である。
【図５】図２に示すボトルのＢ−Ｂに沿った断面図である。
【発明を実施するための形態】
【００１６】
以下、本発明に係るボトルの実施形態について、図１から図５を参照して説明する。なお、本実施形態では、ボトルの一例として、ピンチグリップ式のボトルを例に挙げて説明する。
即ち、本実施形態のボトル１は、図１から図３に示すように、ボトル軸Ｏを中心として有底筒状に形成されたボトルであり、ボトル軸Ｏに沿って口部２、首部３、肩部４、胴部５及び底部６が、ポリエチレンテレフタレート（ＰＥＴ）等の合成樹脂により一体的に形成されている。
【００１７】
なお、図１は、ボトル１の正面図である。図２は、図１に示すボトル１を矢印Ａ方向から見た側面図である。図３は、図１に示すボトル１の背面図である。
また、ボトル軸Ｏに沿って口部２側を上側、底部６側を下側とする。そして、胴部５において正面領域Ｅ１の反対側に位置する領域を背面領域Ｅ２と称し、胴部５の側面視で正面領域Ｅ１と背面領域Ｅ２とが互いに対向する前後方向Ｌに沿って正面領域Ｅ１側を前側、背面領域Ｅ２側を後側とする。
【００１８】
胴部５は、底部６の上方に連設されており、ボトル軸Ｏを中心に略円筒状に形成された部分である。肩部４は、胴部５の上端部から上方に向けて漸次縮径するように連設された部分であって、複数のパネル面４ａがボトル軸Ｏ回りに稜線をなして連結されることで構成されている。但し、パネル面４ａは必須なものではなく、設けなくても構わない。
【００１９】
首部３は、口部２と肩部４とを連結する連結部分であって、肩部４の上端部から上方に向けて漸次縮径する断面テーパー状に形成されたテーパー部３ａと、このテーパー部３ａの上端部と口部２の下端部、より詳しくはネックリング７との間に形成されるストレート部３ｂと、から構成されている。
前記テーパー部３ａは、肩部４から口部２に向かうに伴って漸次縮径するテーパー状に形成されており、肩部４の傾斜と略同程度の傾斜とされている。
また、前記ストレート部３ｂは、ボトル軸Ｏに沿って直線状に延在した円筒状に形成されている。但し、このストレート部３ｂは多角筒状に形成することもできる。
このストレート部３ｂを設けることによって、該ストレート部３ｂ（ネックリング７とテーパー部３ａとの間）に指を挿入し、ネックリング７を引っ掛け易くすることができる。
【００２０】
口部２は、ボトル１内に充填される図示しない内容物を注ぐ際の注ぎ口となる部分であって、この口部２の上端部側の外周面には、図示しないキャップが螺着される雄ねじ部２ａが形成されている。但し、雄ねじ部２ａに限定されるものではなく、キャップが嵌合する嵌合突起が外周面に形成されていても構わない。
また、口部２の下端部には、径方向外方に向けて突出した環状のネックリング７が形成されている。そして、このネックリング７に前記ストレート部３ｂの上端部が連設されている。
【００２１】
ところで、上記首部３のテーパー部３ａには、図１から図４に示すように首部３の全周に亘って延在する滑り止め用の環状の凸リブ１０が形成されている。しかも、この凸リブ１０は、ボトル軸Ｏ方向に沿って間隔を開けて２つ形成されており、テーパー部３ａの外表面に多段状に並んでいる。つまり、テーパー部３ａは階段状の段差が付いた状態となっている。
また、前記凸リブ１０を前記ストレート部３ｂに設けても良い。
なお、図４は、図１に示すボトル１の上面図である。
【００２２】
また、図１から図３に示すように、本実施形態の胴部５の上端部及び下端部には、環状補強リブ１１がそれぞれ形成されている。これら環状補強リブ１１は、いずれも外周面に沿って一周に亘り径方向内方に凹み形成された溝であり、胴部５が径方向に不正変形することを抑える役割を担っている。
【００２３】
そして、これら環状補強リブ１１に挟まれた胴部５のうち、ボトル軸Ｏを径方向（図３に示す矢印Ｘ方向）に挟んで互いに対向する側面領域Ｅ３には、一対の指当て用凹部２０がそれぞれ形成されている。また、胴部５のうち、これら一対の指当て用凹部２０間に位置する背面領域Ｅ２を含むこれらの指当て用凹部２０の相互間の全領域がグリップ部Ｇとされている。
また、胴部５の背面領域Ｅ２には、胴部５内の減圧に伴う復元困難な変形を防止するための減圧吸収パネル２１が形成されており、この減圧吸収パネル２１がグリップ部Ｇの一部を構成している。
【００２４】
指当て用凹部２０は、図２、図３及び図５に示すように、底面２０ａと、この底面２０ａの外周縁から径方向外方に向けて立ち上がる複数の側壁面と、を備えており、胴部５の側面視でボトル軸Ｏ方向に長い長方形状を呈している。なお、図５は、図２に示すボトル１のＢ−Ｂ線に沿った断面図である。
本実施形態では、複数の側壁面のうち、後側を向く側壁面を前壁面２０ｂと称し、前側を向く側壁面を後壁面２０ｃと称する。なお、前壁面２０ｂ及び後壁面２０ｃは、底面２０ａから径方向外側に向かうに従い漸次互いに離間するように傾斜している。
【００２５】
各指当て用凹部２０の底面２０ａには、ボトル軸Ｏ方向に間隔を開けて補強用の３つの凸リブ２５が設けられている。
これら凸リブ２５は、前後方向Ｌに長い長方形状を呈し、それぞれが互いにほぼ平行となって前後方向Ｌに延在している。この際、各凸リブ２５の径方向外方端は、指当て用凹部２０の外周縁よりも径方向内側に位置している。
そして、指当て用凹部２０は、これらの凸リブ２５によりボトル軸Ｏ方向に沿って４つの部屋に区画されていると共に、凸リブ２５によって機械的強度が高められている。また、指当て用凹部２０内に指先を当てた際、４つに区画された部屋に各指先が収まり、安定するようになっている。
【００２６】
なお、上記凸リブ２５について補足すると、図５に示すように、凸リブ２５の前端部２５ａは、前壁面２０ｂに連結され、後端部２５ｂは、後壁面２０ｃに連結されている。また、胴部５の横断面視において、凸リブ２５の前端部２５ａと後端部２５ｂとの間に位置する部分は、底面２０ａの表面形状に沿った凹曲面状をなしている。
【００２７】
次に、このように構成されたボトル１を使用する場合について、以下に説明する。  
はじめに、本実施形態のボトル１が机上等に置かれている場合には、胴部５に形成されている指当て用凹部２０を利用して把持することができる。即ち、グリップ部Ｇに手の平を当てながら、指当て用凹部２０に指先を引っ掛けるようにしてボトル１を確実に握ることができる。従って、持ち易く、安定した落ち運びを行うことができる。
特に、指当て用凹部２０は、３つの凸リブ２５によって４つの部屋に区分けされているので、これら４つの部屋に各指先が収まり、指先が滑ることなく安定する。よって、ボトル１を手の中で滑らせることなく持ち運びを行うことができる。
【００２８】
一方、本実施形態のボトル１が、流通段階でダンボールやケース内に複数本並べられた状態で置かれていたり、陳列棚の下段や床下収納内に置かれていたりする状況下、即ち、下方から持ち上げる操作が必要な場合について説明する。
この場合には、ボトル１の引き上げを行うにあたって、指先或いは指腹を凸リブ１０に引っ掛けながら主にネックリング７を把持することができる。特に、指先或いは指腹が凸リブ１０に接触して引っ掛かるので、把持し易いうえボトル１が手の中で滑り難い。よって、安定した引き上げ動作を行うことができる。
【００２９】
また、凸リブ１０は周方向に延在しているので、引き上げを行う指先或いは指腹が特に引っ掛かり易く、ボトル１に効率良く力を伝えることができる。従って、ボトル１を容易に引き上げることができる。
【００３０】
このように、本実施形態のボトル１によれば、引き上げ時に滑り難いうえ把持し易く、安定した引き上げ動作を行うことができる。従って、充填容量が大容量タイプのボトルに適用しても、引き上げ動作に優れている。
【００３１】
しかも、本実施形態の凸リブ１０は、首部３の全周に亘って環状に形成されているので、凸リブ１０の位置を気にすることなく引き上げ動作を行うことができ、使い易い。更に、本実施形態では、環状の凸リブ１０がボトル軸Ｏに沿って２つ形成されて多段状に並んでいるので、ネックリング７を主に把持した際に、指先或いは指腹が凸リブ１０に対して広範囲に接触して引っ掛かり易い。従って、より把持し易く、ボトル１が手の中で滑り難い。
【００３２】
また、首部３に断面テーパー状のテーパー部３ａが形成されて、このテーパー部３ａが肩部４の傾斜に倣っているので、ネックリング７を主に把持した際に指先や手の平がフィットし易い。よって、手首にかかる負担を軽減しながら引き上げ動作を行うことができる。
更に、テーパー部３ａが肩部４の傾斜に倣っているので、首部３を目立ち難くすることができる。従って、外観の視認性を良くすることができ、デザイン的に優れたボトルにすることができる。
【００３３】
なお、本発明の技術範囲は、上記実施形態に限定されるものではなく、本発明の趣旨を逸脱しない範囲において、種々の変更を加えることが可能である。
【００３４】
例えば、本実施形態のボトル１は、ＰＥＴ等の熱可塑性樹脂を二軸延伸ブロー成形によって成形できるが、その製造方法は特に限定されるのではない。また、充填容量は、特定の量に限定されるものではない。例えば、２．７リットルや４リットル等の大容量タイプ、或いは、１．８リットルや１リットル程度、或いは、更に小さい容量でも構わない。
【００３５】
また、本実施形態では、ピンチグリップ式のボトル１を例に挙げて説明したが、このタイプのボトルに限られるものでなく、あらゆるボトルに適用することが可能である。例えば、一体や別体の取手付きボトルでも構わないし、取手や指かけ用凹部等がない一般的なボトルでも構わない。
【００３６】
また、本実施形態では、環状の凸リブ１０がボトル軸Ｏに沿って２つ形成された場合を例に挙げたが、２つに限定されるものではなく、３つ以上形成してさらに多段に並べても構わない。また、凸リブ１０を環状にする必要はなく、周方向に延在していれば、途中で部分的に分断されていても構わない。
更に、首部３として、テーパー部３ａ及びストレート部３ｂのいずれか一方のみで構成しても良い。
【符号の説明】
【００３７】
Ｏ…ボトル軸
１…ボトル
２…口部
３…首部（連結部分）
３ａ…テーパー部
３ｂ…ストレート部
４…肩部
７…ネックリング
１０…凸リブ
【図１】
2011111220.tif 000003
【図２】
2011111220.tif 000004
【図３】
2011111220.tif 000005
【図４】
2011111220.tif 000006
【図５】
2011111220.tif 000007